(57)【要約】      （修正有）【課題】背中に薬を塗ったり又は痒いところを掻くことができる背中用薬剤塗布具を提供する。【解決手段】アーム２の先端に、ブラシヘッドを含む形状の異なる複数個の薬剤塗布ヘッドを着脱自在に取り付け、アーム２の長さを自在に変更するアーム伸縮機構を備え、取っ手の握り部６に、くぼみ６−Ａを備えたことを特徴とする。【選択図】図１
0003152403.tif 000002
【実用新案登録請求の範囲】
【請求項１】
アーム先端に薬剤塗布ヘッドをとりつけた背中用薬剤塗布具において、前記アームの長さを自在に変更するアーム伸縮機構を備えることを特徴とする背中用薬剤塗布具
【請求項２】
前記薬剤塗布ヘッドは、アームの先端に、ブラシヘッドを含む形状の異なる複数個のヘッドを着脱自在に取り付けられることを特徴とする請求項１に記載の背中用薬剤塗布具
【請求項３】
取っ手の握り部に、くぼみ６−Ａを備えたことを特徴とする請求項１に記載の背中用薬剤塗布具
【考案の詳細な説明】
【技術分野】
【０００１】
本考案は、単身生活者が、手の届かない背中などに薬を塗ったり又は痒いところを掻く場合に必要な背中用薬剤塗布具である。
【背景技術】
【０００２】
手の届かない背中などに薬を塗ったり又は痒いところを掻く必要に迫られることは、単身生活者のほとんどが日常的に経験している。それにも拘わらず、その要望に応える器具を世の中で目にすることがない。このような独居老人を始め多くの単身生活者の深刻な悩みを解消するために考案した。
【先行技術文献】
【特許文献】
【０００３】
【特許文献１】特開平9―122191公報
【特許文献２】実用新案登録第3088728号（Ｕ3088728）
【特許文献３】特開2000−107245（Ｐ2000−107245Ａ）公報
【特許文献４】実用新案登録第3083827(U3083827)
【考案の概要】
【考案が解決しようとする課題】
【０００４】
本考案１個の器具で、次の諸課題の複合的な解決を図る。
○  高齢者がどの様に指をかけてもフイットするような握り手の開発
○  使用者の体型に応じた塗布具の長さをスムーズに調節する機能の開発
○  あらゆる形態の薬剤（スプレー式の薬剤は除く。以下同じ。）に対応できる塗布具の    開発
○  痒いところを掻く場合の安全かつ快適な器具の開発
【課題を解決するための手段】
【０００５】
利用者の多くは高齢者と考えられるので、先端塗布具の方向性が分かり、かつ、握りやすいように大型かつ平型の握り部６を用い、その頭部にはどの様な角度で指をかけてもしっかりとフイットするように握り部くぼみ６−Ａをつける。
をつける。
【０００６】
利用者の体型に応じて、長さを簡単に調整できるようにスライド方式の伸縮構造とする。
【０００７】
背中などに塗布する薬剤には、２種類の形態があり、一つは比較的に硬めの軟膏状の薬剤であり、他方は、液状の薬剤である。さらに両者の中間には、その程度によって様々な形態がある。
【０００８】
この形態の異なる２種類の薬剤を効果的に塗布するため、硬めの軟膏については小型の塗布具を、液状薬剤又は広範囲に薬剤を塗布する場合については大型塗布具を用いる。さらに大型塗布具の中心部分にくぼみを設け、液状の薬剤が外に流れにくくした。この大小２種類の塗布具は、あらゆる形態の薬剤に対応できる。
【０００９】
痒いところを掻く場合には、樹脂製のソフトなブラシを装着したヘッドを用いる。
【００１０】
高齢者の便宜を考え、本体とヘッドとの密着はマジックテープ（登録商標）を利用することで、しっかりと固定し、かつ、容易に取り外せる。
【考案の効果】
【００１１】
独居老人を始め単身生活者の多くの人々が、背中にくすりを塗りたくても手が届かない、或いは背中を掻きたくても従来の孫の手は硬すぎて皮膚を傷つける恐れがあり使いづらいという不便な思いを日常的に経験している。現在世の中には、このような需要に応える適切な器具がないため、多くの人々はこのような不便を解消する便利な器具の出現を切望している。
【００１２】
従来から「薬剤塗布機能付の孫の手」の類は極めて多数が考案されているが、現在世の中で目にすることがない。その理由は、いたずらに構造が複雑で高齢者の利用に煩雑であったり,単一の機能しか有せず使い勝手が悪かったり、いずれにしても利用者の需要に適切に対応していないからと考えている。
【００１３】
本考案では、高齢者でも容易に使えるようにできるだけシンプルな構造とし、本器具１個でいろいろな需要に対応できる多機能の構造としているため、困っている単身生活者の生活上の一助となる効果が期待できる。
【図面の簡単な説明】
【００１４】
【図１】本考案の本体斜視図である。
【図２】小型ヘッド斜視図である。
【図３】大型ヘッド斜視図である。
【図４】ブラシヘッド斜視図である。
【図５】本体上面図である。
【図６】小型ヘッド上面図である。
【図７】大型ヘッド上面図である。
【図８】ブラシヘッド上面図である。
【図９】本体側面図である。
【図１０】小型ヘッド側面図である。
【図１１】大型ヘッド側面図である。
【図１２】ブラシヘッド側面図である。
【図１３】本体断面図である。
【図１４】小型ヘッド断面図である。
【図１５】大型ヘッド断面図である。
【図１６】ブラシヘッド断面図である。
【考案を実施するための形態】
【００１５】
握り部の形状は、方向性が分かり、かつ、握りやすいように大型かつ平型とし、その頭部にはどの様な角度で指をかけてもしっかりとフイットするようにくぼみ６−Ａをつける。
【００１６】
長さの調節は、アーム２がアーム収納ケース４の中にスライドすることによって行う。この構造は、アーム2にスライド板５−Ａが移動できるスライド溝3を設け、その溝に沿ってアームが一定間隔をスライドする。適当な長さでダイアル5を締める。ダイアル5を回すとスライド板５−Ａが上下に動きアームが固定される。ダイアル５の底部にはストッパー５−Ｂを取り付けるため、スライド板５−Ａがダイアル５から脱落することはない。
【００１７】
アーム２は、ヘッドが背中に密着しやすいように湾曲しており、ヘッド取り付け部１の上部に組み込む。ヘッド取付け部１の底部にはマジックテープ（登録商標）を装着する。
【００１８】
小型ヘッド７及び大型ヘッド８の表面７−Ａ及び８−Ａは、ヘッドが皮膚面を滑らかに移動して、かつ、撥水性があまり強すぎない様な材質、例えばシリコン樹脂等で覆い，裏面７−Ｂ及び８−Ｂにはマジックテープ（登録商標）を装着する。ヘッドのマジックテープ（登録商標）部は本体のヘッド取付け部１のマジックテープ（登録商標）部と密着する。
【００１９】
硬めの軟膏状の薬剤を塗布する場合は、小型の塗布具を、液状薬剤又は広い範囲に薬剤を塗布する場合には、大型の塗布具を用いる。大型の塗布具の中央部には、液剤が外に流れにくいようにくぼみ部８−Ｃをつける。
【００２０】
背中など痒いところを掻く場合のブラシヘッド９の表面はソフトな材料で、例えば硬めの歯ブラシ程度の樹脂製ブラシを装着する。ブラシヘッド裏面部はマジックテープ（登録商標）を装着する。ヘッド取り付け部１のマジックテープ（登録商標）部と密着する。
【００２１】
３種のヘッドは、ずれも本体との密着にマジックテープ（登録商標）を利用するため、しっかりと固定をすると同時に容易に取り外しができる。
【実施例】
【００２２】
以下、添付図面に沿って、一実施例を説明する。
握り部の形状は、どの様な角度で指をかけてもしっかりとフイットする構造となっているため、どの様に指をかけてもよい。
【００２３】
最初に利用者の体型に合った長さに調節するために、長さ調節用ダイアル５を緩める。アーム２をアーム収納ケース４から引き出し、適当な長さでダイアル５を締める。
【００２４】
硬めの軟膏をつける場合は、小型ヘッド７をセットし、塗布面７−Ａに適量の薬剤をつけて用いる。液状薬剤又は広い範囲に薬剤を塗布する場合には、大型ヘッド８をセットし、薬剤が流れにくいように設けたくぼみ６−Ａを中心に薬剤をつけて用いる。
【００２５】
円筒形の容器に入ったスポンジ状の頭部を有する筋肉消炎剤等の薬剤については、一度大型塗布具に圧着して薬剤を絞りだしてそれを患部に塗布する。
【００２６】
背中などの痒いところを掻く場合には、ソフトなブラシヘッドを装着して用いる。
【００２７】
以上の操作で、利用者の体型にあった長さの器具で、どのような形態の薬剤にも対応でき、また、痒いところを掻く際にもソフトなブラシヘッドで安全かつ快適に対処できる。
【符号の説明】
【００２８】
1      ヘッド取付け部
2      アーム    
3      スライド溝
4      アーム収納ケース
5      ダイアル
5―Ａ  スライド板   
5―Ｂ  ストッパー  
6      握り部
6―Ｃ  握り部くぼみ
7      小型ヘッド
7―Ａ  小型ヘッド表面部
7―Ｂ  小型ヘッド裏面部
8      大型ヘッド
8―Ａ  大型ヘッド表面部
8―Ｂ  大型ヘッド裏面部
8―Ｃ  大型ヘッドくぼみ部
9      ブラシヘッド
9―A   ブラシヘッド表面部
9―B   ブラシヘッド裏面部
【図１】
0003152403.tif 000003
【図２】
0003152403.tif 000004
【図３】
0003152403.tif 000005
【図４】
0003152403.tif 000006
【図５】
0003152403.tif 000007
【図６】
0003152403.tif 000008
【図７】
0003152403.tif 000009
【図８】
0003152403.tif 000010
【図９】
0003152403.tif 000011
【図１０】
0003152403.tif 000012
【図１１】
0003152403.tif 000013
【図１２】
0003152403.tif 000014
【図１３】
0003152403.tif 000015
【図１４】
0003152403.tif 000016
【図１５】
0003152403.tif 000017
【図１６】
0003152403.tif 000018